【手続補正書】
【提出日】平成19年4月24日(2007.4.24)
【手続補正１】
【補正対象書類名】明細書
【補正対象項目名】特許請求の範囲
【補正方法】変更
【補正の内容】
【特許請求の範囲】
【請求項１】
測定装置に接続する第１の接続部と、
前記第１の接続部を介して測定装置から受け取った測定データを、携帯電話による通信に用いられるフォーマットに変換する変換処理部と、
携帯電話に接続する第２の接続部とを備え、
前記変換処理部による変換処理を経た送信用データを、前記第２の接続部から前記携帯電話へ出力することを特徴とするデータ転送装置。
【請求項２】
当該データ転送装置の状況を表すステータスコードを出力するステータスコード出力部をさらに備え、前記第２の接続部から前記ステータスコードも前記携帯電話へ出力する、請求項１に記載のデータ転送装置。
【請求項３】
前記携帯電話に対する測定データの出力履歴情報を記憶する履歴情報記憶部と、
前記測定装置から受け取った測定データから、前記出力履歴情報に基づいて、送信すべき測定データを抽出する測定データ抽出部とをさらに備えた、請求項１または２に記載のデータ転送装置。
【請求項４】
前記測定装置として、血糖測定器、血圧計、体重計、体脂肪計、酸素飽和度計、歩数計、消費カロリー計、または、心電図計を用いる請求項１〜３のいずれか一項に記載のデータ転送装置。
【請求項５】
請求項１に記載のデータ転送装置を用いたデータ送信方法であって、
前記携帯電話が、前記データ転送装置の第２の接続部から出力された送信用データをデータ処理装置へ送信することを特徴とするデータ送信方法。
【請求項６】
前記携帯電話として、インターネット接続サービスを利用可能な携帯電話を用い、インターネットを介して、前記送信用データを前記データ処理装置へ送信する、請求項５に記載のデータ送信方法。
【請求項７】
請求項２に記載のデータ転送装置を用いたデータ送信方法であって、
前記ステータスコードを、前記第２の接続部および前記携帯電話を介してデータ処理装置へ送信し、
前記データ処理装置が、前記携帯電話の出力ユーザインタフェース部に当該ステータスコードに応じて出力させる情報を、前記携帯電話へ送信することを特徴とするデータ送信方法。
【請求項８】
前記携帯電話として、インターネット接続サービスを利用可能な携帯電話を用い、インターネットを介して、前記データ処理装置から前記携帯電話へ前記情報を送信する、請求項７に記載のデータ送信方法。
【請求項９】
前記データ処理装置が、前記情報を、ウェブページコンテンツとして前記携帯電話へ送信する、請求項８に記載のデータ送信方法。
【請求項１０】
請求項３に記載のデータ転送装置に接続される測定装置であって、
複数回分の測定データを記憶する測定データ記憶部を備え、前記データ転送装置へ測定データを出力する場合は、前記測定データ記憶部の全データを出力することを特徴とする測定装置。
【請求項１１】
請求項２に記載の測定装置から、前記携帯電話を介して、前記送信用データまたは前記ステータスコードを受信し、
送信用データを受信したときは、当該データを処理し、
ステータスコードを受信したときは、前記携帯電話の出力ユーザインタフェース部に当該ステータスコードに応じて出力させる情報を、前記携帯電話へ送信することを特徴とするデータ処理装置。
【請求項１２】
請求項２に記載の測定装置から、前記携帯電話を介して、前記送信用データまたは前記ステータスコードを受信するコンピュータに、
送信用データを受信したときは、当該データの処理を実行させ、
ステータスコードを受信したときは、前記携帯電話の出力ユーザインタフェース部に当該ステータスコードに応じて出力させる情報を、前記携帯電話へ送信する処理を実行させることを特徴とするプログラム。
【請求項１３】
測定部と携帯電話とデータ転送部とを含むユーザ端末装置と、前記測定部による測定データを受信して処理するデータ処理装置とを含むデータ処理システムであって、
前記データ転送部は、前記測定部に接続する第１の接続部と、前記第１の接続部を介して前記測定部から受け取った測定データを、前記携帯電話による通信に用いられるフォーマットに変換する変換処理部と、前記携帯電話に接続する第２の接続部とを備え、前記変換処理部による変換処理を経た送信用の測定データを、前記第２の接続部から前記携帯電話へ出力し、
前記携帯電話が、前記データ転送部から出力された測定データを、前記データ処理装置へ送信することを特徴とするデータ処理システム。
【請求項１４】
前記携帯電話が、インターネット接続サービスを利用可能な携帯電話であって、
前記データ処置装置が、前記測定データの処理結果をウェブページコンテンツとして前記携帯電話へ提供する、請求項１３に記載のデータ処理システム。
【請求項１５】
前記データ転送部が、前記測定部から受け取った測定データから未送信の測定データを抽出し、抽出された測定データのみを前記携帯電話へ出力する、請求項１３に記載のデータ処理システム。
【請求項１６】
前記測定部が、血糖測定機能、血圧測定機能、体重測定機能、体脂肪率測定機能、酸素飽和度測定機能、歩数測定機能、消費カロリー測定機能、または、心電図測定機能を有する、請求項１３〜１５のいずれか一項に記載のデータ処理システム。
【請求項１７】
測定部と携帯電話とデータ転送部とを含むユーザ端末装置と、前記測定部による測定データを受信して処理するデータ処理装置とを用いるデータ処理方法であって、
前記ユーザ端末装置において、前記データ転送部が、前記測定部に接続する第１の接続部を介して前記測定部から受け取った測定データを、前記携帯電話による通信に用いられるフォーマットに変換し、当該変換により得られた送信用の測定データを、前記携帯電話に接続する第２の接続部から前記携帯電話へ出力し、
前記携帯電話が、前記データ転送部から出力された測定データを、前記データ処理装置へ送信することを特徴とするデータ処理方法。
【請求項１８】
前記携帯電話として、インターネット接続サービスを利用可能な携帯電話を用い、
前記データ処置装置が、前記測定データの処理結果をウェブページコンテンツとして前記携帯電話へ提供する、請求項１７に記載のデータ処理方法。
【請求項１９】
前記データ転送部が、前記測定部から受け取った測定データから未送信の測定データを抽出し、抽出された測定データのみを前記携帯電話へ出力する、請求項１７に記載のデータ処理方法。
【請求項２０】
前記測定部において、血糖値、血圧、体重、体脂肪率、酸素飽和度、歩数、消費カロリー、または、心電図を測定する、請求項１７〜１９のいずれか一項に記載のデータ処理方法。
【請求項２１】
測定装置とデータ転送装置とを含み、前記測定装置による測定データをデータ処理装置へ送信するための携帯電話に接続して用いられる測定用キットであって、
前記データ転送装置は、前記測定装置に接続する第１の接続部と、前記第１の接続部を介して前記測定装置から受け取った測定データを、前記携帯電話による通信に用いられるフォーマットに変換する変換処理部と、前記携帯電話に接続する第２の接続部とを備え、前記変換処理部による変換処理を経た送信用の測定データを、前記第２の接続部から前記携帯電話へ出力することを特徴とする測定用キット。
【請求項２２】
前記データ転送装置が、前記測定装置から受け取った測定データから未送信の測定データを抽出し、抽出された測定データのみを前記携帯電話へ出力する、請求項２１に記載の測定用キット。
【請求項２３】
前記測定装置が、血糖測定器、血圧計、体重計、体脂肪計、酸素飽和度計、歩数計、消費カロリー計、または、心電図計である、請求項２１または２２のいずれか一項に記載の測定用キット。